(57)【要約】【課題】建物全体の高さを抑えて建設コストを低減でき、居室および収納スペースを有効に配置できる建物を提供すること。【解決手段】少なくとも１つの特定フロアと、その上方に設けられる屋根４と、特定フロアと屋根４との間に形成される小屋裏空間５とを備える建物１において、特定フロアは、その一部に設けられた中間床４０と、この中間床４０の下側に形成された中間床下側空間４１と、中間床４０の上側に形成された中間床上側空間４２とを備え、中間床上側空間４２の少なくとも一部と、小屋裏空間５の一部とが連通された吹き抜け空間４２が構成され、吹き抜け空間４２を覆う屋根４Ｂや外壁３Ｄに採光手段４２Ａが設けられていることにより、建物１全体の高さが高くならないので建設コストの増加を防止しながら、構成された空間を居室や収納スペースとして有効に利用でき、さらに、吹き抜け空間４２の居住環境を良好にできる。【選択図】　図２
2004060157.tif 000002
【特許請求の範囲】
【請求項１】
少なくとも１つの特定フロアと、この特定フロアの上方に設けられる屋根と、当該特定フロアと当該屋根との間に形成される小屋裏空間とを有する建物であって、
前記特定フロアは、その一部に設けられた中間床と、この中間床の下側に形成された中間床下側空間と、当該中間床の上側に形成された中間床上側空間とを備え、
前記中間床上側空間の少なくとも一部と、前記小屋裏空間の一部とが連通された吹き抜け空間が構成され、
前記吹き抜け空間を覆う屋根と、当該吹き抜け空間を構成する前記小屋裏空間の外壁との少なくとも一方には、当該吹き抜け空間への採光手段が設けられていることを特徴とする建物。
【請求項２】
請求項１に記載の建物において、
前記中間床下側空間は、収納空間とされ、前記吹き抜け空間は、上部居室空間とされており、
前記収納空間の床面と、前記特定フロアの床面とは、段差が無く互いに連続して形成され、かつ、当該収納空間の天井高は、１．０ｍ〜１．４ｍとされ、
前記上部居室空間の天井高は、２．１ｍ以上とされていることを特徴とする建物。
【請求項３】
請求項１または請求項２のいずれかに記載の建物において、
前記小屋裏空間のうち、前記吹き抜け空間を構成しない小屋裏空間の少なくとも一部は、前記吹き抜け空間に隣接した小屋裏収納空間とされ、
前記吹き抜け空間に面して前記小屋裏収納空間の出入り口が設けられていることを特徴とする建物。
【請求項４】
請求項１ないし請求項３のいずれかに記載の建物において、
前記吹き抜け空間を覆う屋根は、第１の屋根とされ、当該吹き抜け空間を構成しない前記小屋裏空間を覆う屋根は、第２の屋根とされており、
前記第１の屋根および第２の屋根は、当該第１の屋根が当該第２の屋根より上方で、かつ、互いに段差を備えて配置され、
前記採光手段は、前記第１の屋根および第２の屋根の段差間に形成される外壁に設けられた高窓であることを特徴とする建物。
【請求項５】
請求項１ないし請求項４のいずれかに記載の建物において、
前記採光手段は、前記吹き抜け空間を覆う屋根の上方に突出して設けられたドーマー窓であることを特徴とする建物。
【請求項６】
請求項１ないし請求項５のいずれかに記載の建物において、
前記採光手段は、前記吹き抜け空間を覆う屋根の外側に設けられたルーフバルコニに連通する開口であることを特徴とする建物。
【請求項７】
請求項１ないし請求項６のいずれかに記載の建物において、
前記吹き抜け空間を覆う屋根は、当該吹き抜け空間を構成しない前記小屋裏空間を覆う屋根の上方に突出する外壁と、この外壁の上方に載置される上部屋根とを備えた越屋根とされ、
前記採光手段は、前記越屋根の外壁に設けられた窓であることを特徴とする建物。
【発明の詳細な説明】
【０００１】
【発明の属する技術分野】
本発明は、建物に係り、特にスキップフロアを備えた建物に関する。
【０００２】
【背景技術】
従来、住宅等において物品を保管、収容する場所として、建物内部には押入や納戸、床下収納庫、小屋裏収納部、天井裏収納部等の収納スペースが設けられ、また、屋外には物置等が設置されることがある。
しかし、近年における生活の質の向上や多様化に伴い、生活に使用する物品が多種多様化および多数化する傾向にあり、これらの物品を保管、収容するために従来の収納スペースでは広さや容量が不足し、また、建物が建てられる敷地の有効利用という観点から、屋外物置等の設置は望ましくないため、その内部により大きな収納スペースを備えた建物が望まれている。
【０００３】
内部に大きな収納スペースを備える建物として、３階建ての建物の２階部分を収納階とし、この収納階に至る階段を設け、この階段の踊り場に面して収納室の出入り口が設けられた収納付き建物が提案されている（従来例１）。
このような収納付き建物では、収納階を大きな収納スペースとして有効に活用できるとともに、階段の踊り場から収納室に出入りできるので、物品の搬入、搬出を円滑にできる。
【０００４】
また、従来例１の建物とは異なる収納付き建物として、上下に収納スペースおよび居室が積層された構造体同士を、水平方向にかつ段違い状に隣接配置したスキップフロアを備えた建物が提案されている（従来例２：特許第２９１２７９７号公報）。
このようなスキップフロア型建物では、収納スペースと水平方向に隣接して居室が配置されるため、収納スペースの出し入れ口を隣接する居室に開口することで、居室から水平方向に物品を搬入、搬出することができ、作業が容易になるという効果を奏する。
【０００５】
【発明が解決しようとする課題】
しかし、上述した従来例１の収納付き建物では、３階建ての２階部分を収納スペースとしているため、収納スペースの天井高さに床の厚さ等が加えられることを考慮すると、通常の２階建ての建物と比較して、建物全体の高さが高くなってしまう。
また、従来例２のスキップフロア型建物においても、段違い状の上側に隣接配置した構造体の側では、通常の２階建ての建物よりも、段違いの高さ寸法だけ建物全体の高さが高くなってしまう。
従って、従来例１および従来例２の建物では、居室として利用できる階の床面積は、通常の２階建ての建物と同程度でありながら、建物全体の高さが高くなることで建設コストが増加するという問題がある。
【０００６】
本発明の目的は、建物全体の高さを抑えて建設コストを低減でき、居室および収納スペースを有効に配置できる建物を提供することにある。
【０００７】
【課題を解決するための手段】
上記目的を達成するため、本発明の建物は、次の構成を採用する。
本発明を図面を参照して説明すると、請求項１に記載の建物１は、少なくとも１つの特定フロアと、この特定フロアの上方に設けられる屋根４と、当該特定フロアと当該屋根との間に形成される小屋裏空間５とを有する建物１であって、前記特定フロアは、その一部に設けられた中間床４０と、この中間床の下側に形成された中間床下側空間４１と、当該中間床の上側に形成された中間床上側空間４２とを備え、前記中間床上側空間の少なくとも一部と、前記小屋裏空間の一部とが連通された吹き抜け空間４２が構成され、前記吹き抜け空間を覆う屋根４Ｂと、当該吹き抜け空間を構成する前記小屋裏空間の外壁３Ｄとの少なくとも一方には、当該吹き抜け空間への採光手段４２Ａが設けられていることを特徴とする。
【０００８】
なお、ここで、「特定フロア」とは、建物の所定の階を意味する。例えば、２階建ての建物において、上方に屋根が設けられた２階を特定フロアとすることができ、また、１階の下屋部分のように上方に屋根が設けられている階であれば、当該１階部分を特定フロアとすることができる。
この発明によれば、特定フロアの中間床上側空間と小屋裏空間とが連通され、吹き抜け空間が形成されることによって、建物全体の高さが高くならず、建設コストの増加を防止しながら、吹き抜け空間や中間床下側空間を居室や収納スペースとして利用できるので、空間の有効利用を図ることができる。
また、吹き抜け空間を覆う屋根や外壁に採光手段が設けられていることにより、吹き抜け空間に外光を導入することができ、吹き抜け空間の居住環境を良好にすることができる。
【０００９】
請求項２に記載の建物は、請求項１に記載の建物において、前記中間床下側空間は、収納空間４１とされ、前記吹き抜け空間は、上部居室空間４２とされており、前記収納空間の床面２０Ａと、前記特定フロアの床面２０とは、段差が無く互いに連続して形成され、かつ、当該収納空間の天井高Ｈ１は、１．０ｍ〜１．４ｍとされ、前記上部居室空間の天井高Ｈ２は、２．１ｍ以上とされていることを特徴とする。
【００１０】
この発明によれば、特定フロアの中間床下側空間を収納空間とすることによって、建物内部に設けられる収納スペースの大きさを十分に確保できるとともに、収納空間の床面と特定フロアの床面とが段差なく連続しているので、収納空間に物品を搬入、搬出する作業が容易にできる。すなわち、前述の従来例２のスキップフロア型建物では、収納スペースの床面と居室の床面とが必ずしも連続するものではなく、段差のある場合に重い物品の出し入れに手間が掛かるという問題を有しており、本発明によりこの問題を解決できる。
また、収納空間の天井高を１．０ｍ以上とすることで、大人が屈んで出入りできる高さを確保し、かつ、天井高を１．４ｍ以下とすることで、収納容量を大きくしながら上部居室空間を圧迫せず、建物全体の高さを抑えることができる。また、上部居室空間の天井高を２．１ｍ以上とすることで、通常の生活に支障がない高さを確保できる。
【００１１】
請求項３に記載の建物は、請求項１または請求項２のいずれかに記載の建物において、前記小屋裏空間のうち、前記吹き抜け空間を構成しない小屋裏空間の少なくとも一部は、前記吹き抜け空間に隣接した小屋裏収納空間４３とされ、前記吹き抜け空間に面して前記小屋裏収納空間の出入り口４３Ａが設けられていることを特徴とする。
この発明によれば、小屋裏収納空間が吹き抜け空間と隣接し、その出入り口が吹き抜け空間に面して設けられていることにより、さらに収納スペースを確保できるとともに、吹き抜け空間から小屋裏収納空間へ水平方向に物品を出し入れできるので、搬入、搬出の作業が容易にできる。この際、吹き抜け空間の床が中間床によって特定フロアの床よりも高い位置に形成されていることにより、小屋裏収納空間へ物品を出し入れする際に、物品を高い位置まで持ち上げる必要がなく、搬入、搬出の作業がより容易にできる。
【００１２】
請求項４に記載の建物は、請求項１ないし請求項３のいずれかに記載の建物において、前記吹き抜け空間を覆う屋根は、第１の屋根４Ｂとされ、当該吹き抜け空間を構成しない前記小屋裏空間を覆う屋根は、第２の屋根４Ａとされており、前記第１の屋根および第２の屋根は、当該第１の屋根が当該第２の屋根より上方で、かつ、互いに段差を備えて配置され、前記採光手段は、前記第１の屋根および第２の屋根の段差間に形成される外壁３Ｄに設けられた高窓４２Ａであることを特徴とする。
この発明によれば、吹き抜け空間を覆う第１の屋根を第２の屋根より上方で、かつ、互いに段差を備えて配置し、この段差間の外壁に高窓を設けることにより、吹き抜け空間に外光を導入するための採光手段を有効に配置でき、吹き抜け空間の居住環境をより良好にできるとともに、窓等が配置しづらい建物の中央部分に吹き抜け空間を構成した場合でも、採光手段を設けることができる。
【００１３】
請求項５に記載の建物は、請求項１ないし請求項４のいずれかに記載の建物において、前記採光手段は、前記吹き抜け空間を覆う屋根の上方に突出して設けられたドーマー窓４２Ｃであることを特徴とする。
この発明によれば、吹き抜け空間を覆う屋根にドーマー窓を設けることにより、吹き抜け空間に外光を導入するための採光手段を有効に配置でき、吹き抜け空間の居住環境をより良好にできるとともに、窓等を配置するための十分な外壁が確保できない場合でも、採光手段を設けることができる。
【００１４】
請求項６に記載の建物は、請求項１ないし請求項５のいずれかに記載の建物において、前記採光手段は、前記吹き抜け空間を覆う屋根の外側に設けられたルーフバルコニ６２に連通する開口４２Ｄであることを特徴とする。
この発明によれば、吹き抜け空間を覆う屋根の外側にルーフバルコニを設け、このルーフバルコニに連通する開口を設けることにより、この開口がルーフバルコニへの出入り口として機能するとともに、吹き抜け空間に外光を導入するための採光手段としても有効であるため、吹き抜け空間の居住環境をより良好にできる。
【００１５】
請求項７に記載の建物は、請求項１ないし請求項６のいずれかに記載の建物において、前記吹き抜け空間を覆う屋根は、当該吹き抜け空間を構成しない前記小屋裏空間を覆う屋根４Ａ，４Ｃの上方に突出する外壁３Ｅと、この外壁の上方に載置される上部屋根４Ｄとを備えた越屋根とされ、前記採光手段は、前記越屋根の外壁に設けられた窓４２Ａ，４２Ｂであることを特徴とする。
この発明によれば、吹き抜け空間を覆う屋根を外壁および上部屋根を備えた越屋根とすることにより、この越屋根の外壁部分に、吹き抜け空間に外光を導入するための採光手段である窓を有効に配置でき、吹き抜け空間の居住環境をより良好にできる。
【００１６】
【発明の実施の形態】
以下、本発明の実施形態を図面に基づいて詳しく説明する。なお、以下の説明にあたって、同一構成要件については、同一符号を付し、その説明を省略もしくは簡略化する。
図１ないし図３には、本発明の第１実施形態に係る建物としての住宅１が示されている。そして、図４には、本発明の第２実施形態に係る建物としての住宅１Ａが示され、図５、図６には、本発明の第３実施形態に係る建物としての住宅５０が示されている。
【００１７】
〔第１実施形態〕
本発明の第１実施形態について説明する。図１は、住宅１の全体を示す斜視図であり、図２は、その断面図、図３（Ａ）〜（Ｃ）は、その各高さ位置における平面図である。すなわち、図２は、図３（Ａ）〜（Ｃ）に示す矢視ＩＩ−ＩＩ線断面図であり、図３（Ａ）〜（Ｃ）は、図２の矢視ＩＩＩＡ−ＩＩＩＡ線、ＩＩＩＢ−ＩＩＩＢ線、およびＩＩＩＣ−ＩＩＩＣ線でそれぞれ示す高さ位置における平面図である。
【００１８】
図１ないし図３において、住宅１は、基礎２の上に建物本体３が固定され、この建物本体３の上方が屋根４で覆われた２階建ての戸建て住宅である。建物本体３は、木質パネル工法やユニット工法等のプレハブ工法、木造軸組工法、鉄骨軸組工法等、設計条件に応じて適宜選択された構造および工法により構築される。そして、建物本体３には、外壁３Ａによって外部と区画された内部空間を内床３Ｃで上下に区切ったフロア（階）が形成され、さらに各フロアを内壁３Ｂや図示しない間仕切壁等で区切ることで生活空間としての居室や廊下、ホール等が形成されている。
【００１９】
図３（Ａ）に示す住宅１の１階部分には、図中下方右側にリビングルーム１１、その図中上方にキッチン１２、その図中左側に廊下１３および玄関ホール１４がそれぞれ設けられ、玄関ホール１４の図中下方でリビングルーム１１の図中左側には、洗面所や浴室等を有する水場居室１５が設けられている。そして、廊下１３と水場居室１５との間には、２階へ通じる階段１６が設けられている。
図３（Ｂ）に示す住宅１の２階部分には、階段１６と連続して２階ホール２４が設けられ、この２階ホール２４の図中左側に主寝室２１が設けられ、２階ホール２４の図中右側に副寝室２２，２３が図中上下に並んで設けられている。
【００２０】
住宅１の特定フロアとしての２階部分において、主寝室２１と副寝室２３との間には、図２に示すように、中間床としての２階中間床４０が設けられている。この２階中間床４０は、内床３Ｃと同等の床荷重を支持できる程度の強度を有し、外壁３Ａや内壁３Ｂ、または図示しない支持部材によって支持されている。すなわち、住宅１は、２階中間床４０により中間フロアが形成された、スキップフロアを備える建物である。
２階中間床４０の下側には、中間床下側空間としての収納空間４１が設けられている。この収納空間４１の出入り口４１Ａは２階ホール２４に開口して設けられている。
なお、収納空間４１の出入り口４１Ａは２階ホール２４に開口するものに限らず、主寝室２１や副寝室２３等の居室空間に開口するものであってもよい。
【００２１】
２階中間床４０の上側には、２階中間床４０の中間床上側空間と小屋裏空間５の一部とが連通された吹き抜け空間が設けられ、この吹き抜け空間、すなわち上部居室空間４２は、生活空間として使用される。
以上のような構成の２階部分を覆う屋根４は、互いに略同一の傾斜を有する第２の屋根としての屋根４Ａおよび第１の屋根としての屋根４Ｂから構成され、屋根４Ａは副寝室２２，２３の上方を覆い、屋根４Ｂは主寝室２１、上部居室空間４２および２階ホール２４の上方を覆っている。
【００２２】
屋根４Ａ，４Ｂは、屋根４Ｂが屋根４Ａよりも上方で、互いに段差を有して配置され、この段差間に外壁３Ｄが設けられている。この外壁３Ｄには、上部居室空間４２および２階ホール２４の採光、換気を行う採光手段としての高窓４２Ａが設けられている。
また、副寝室２２，２３と屋根４Ａとの間で上部居室空間４２および２階ホール２４と隣接する位置の小屋裏空間５は、小屋裏収納空間４３とされている（図３（Ｃ）中破線で示す）。この小屋裏収納空間４３の出入り口４３Ａは、上部居室空間４２に開口して設けられている。
【００２３】
収納空間４１の床である収納空間床２０Ａと、２階の居室床２０とは、互いの床面に段差が無く、互いに連続して形成されている。収納空間床２０Ａの床上面と２階中間床４０の下面との間の距離、すなわち、収納空間４１の天井高Ｈ１は、本実施形態において、１．０ｍ〜１．４ｍの範囲に設定されている。また、上部居室空間４２の天井高Ｈ２は、最も低いところで２．１ｍ以上に設定されている。
【００２４】
従って、本実施形態によれば、次のような効果が得られる。
（１）２階中間床４０の上側空間と小屋裏空間５の一部とを連通し、吹き抜け空間としての上部居室空間４２を設けることによって、生活空間として利用可能な居室空間を多く確保でき、建物内空間を有効に利用できる。また、住宅１の高さが通常の２階建ての建物と同程度に抑えられ、建設コストの増加を防止できる。
【００２５】
（２）２階の居室床２０と、収納空間床２０Ａとが段差なく連続しているので、収納空間４１に物品を搬入、搬出する作業が容易にできる。すなわち、従来の収納スペースの床面と居室の床面とが必ずしも連続せず、段差があるスキップフロア型建物が有している重い物品の出し入れに手間が掛かるという問題を解決できる。
【００２６】
（３）収納空間４１の天井高Ｈ１を１．０ｍ以上とすることで、大人が屈んで出入りできる高さを確保し、かつ、天井高Ｈ１を１．４ｍ以下とすることで、収納容量を大きくしながら収納空間４１の上方の空間を圧迫せず、住宅１の高さを抑えることができる。
【００２７】
（４）上部居室空間４２の天井高Ｈ２を最も低いところで２．１ｍ以上に設定することで、居室空間として利用する上での通常の生活に支障がない天井高さを確保できる。
【００２８】
（５）小屋裏収納空間４３が上部居室空間４２と隣接し、その出入り口４３Ａが上部居室空間４２に面して設けられていることにより、上部居室空間４２から小屋裏収納空間４３へ水平方向に物品を出し入れでき、上部居室空間４２の床との段差が低くなっているので、搬入、搬出の作業が容易にできる。
【００２９】
（６）互いに段差を有して配置した屋根４Ａ，４Ｂの段差間を上部居室空間４２の外壁３Ｄとし、この外壁３Ｄに高窓４２Ａを設けることにより、上部居室空間４２に外光や外気を導入することができ、上部居室空間４２の居住環境を良好にすることができる。
【００３０】
〔第２実施形態〕
次に、本発明の第２実施形態について説明する。図４は、第２実施形態に係る建物としての住宅１Ａの断面図である。
図４において、住宅１Ａは、上部居室空間４２を覆う屋根形状が前述の第１実施形態の場合と異なるもので、その他の構成は、第１実施形態と同様である。
【００３１】
住宅１Ａの構造および各フロアの平面構成は、前述の第１実施形態と同様に、特定フロアとしての２階部分において、主寝室２１と副寝室２３との間に２階中間床４０が設けられ、この２階中間床４０の上側空間と小屋裏空間５とが連通された上部居室空間４２が設けられている。
住宅１Ａの屋根は、互いに略同一の傾斜を有する３種類の屋根４Ａ，４Ｃおよび上部居室空間４２を覆う上部屋根４Ｄから構成され、屋根４Ａは２階部分の副寝室２２，２３の上方を覆い、屋根４Ｃは主寝室２１の上方を覆っている。
すなわち、上部居室空間４２を覆う屋根は、屋根４Ａ，４Ｃの上方に突出する外壁３Ｅと、この外壁３Ｅの上方に載置された上部屋根４Ｄとを有する越屋根とされ、外壁３Ｅには、上部居室空間４２の採光、換気を行う採光手段としての高窓４２Ａおよび窓４２Ｂが設けられている。
【００３２】
従って、本実施形態によれば、前述の（１）〜（５）の効果に加えて、次のような効果が得られる。
（７）上部居室空間４２を覆う上部屋根４Ｄを越屋根とし、この越屋根の外壁３Ｅに高窓４２Ａおよび窓４２Ｂを設けることによって、上部居室空間４２に外光や外気を導入することができ、上部居室空間４２の居住環境を良好にすることができる。
【００３３】
〔第３実施形態〕
次に、本発明の第３実施形態について説明する。図５は、第３実施形態に係る建物としての住宅５０の断面図であり、図６（Ａ），（Ｂ）は、その各高さ位置における平面図である。すなわち、図５は、図６（Ａ），（Ｂ）に示す矢視Ｖ−Ｖ線断面図であり、図６（Ａ），（Ｂ）は、図５の矢視ＶＩＡ−ＶＩＡ線、ＶＩＢ−ＶＩＢ線でそれぞれ示す高さ位置における平面図である。
図５、図６において、住宅５０は、２階建ての建物であり、各階居室の平面および断面構成が前述の第１実施形態の場合と異なるもので、その他建物の材料や工法等は、第１実施形態と同様である。以下、前述の第１実施形態との相違点について説明する。
【００３４】
図６（Ａ）に示す住宅５０の１階部分には、図中下方右側に玄関ホール１４、その図中上方にキッチン１２、そのさらに図中上方に水場居室１５がそれぞれ設けられ、玄関ホール１４およびキッチン１２の図中左側には、リビングルーム１１が設けられている。そして、水場居室１５の図中左側には、２階へ通じる階段１６が設けられている。
図６（Ｂ）に示す住宅５０の２階部分には、階段１６と連続して図中右側に主寝室２１が設けられている。
【００３５】
住宅５０の１階部分において、図５に示すように、リビングルーム１１および階段１６の図中左側には、中間床としての１階中間床３０が設けられている。また、２階部分において、主寝室２１の図中左側には、中間床としての２階中間床４０が設けられている。
１階中間床３０の下側は収納空間３１とされ（図６（Ａ）中破線で示す）、この収納空間３１の出入り口３１Ａはリビングルーム１１に開口して設けられている。
１階中間床３０の上側の一部は、２階中間床４０の下側空間の一部と連通された中間居室空間３２とされ、１階中間床３０の上側の他の一部は、外部としてのバルコニ空間３３とされている。中間居室空間３２とリビングルーム１１との間は、壁等で仕切られておらず、空間として連続し、段差部分に設けられた手摺り３２Ａによって区切られている。
【００３６】
２階中間床４０の下側で主寝室２１に沿った部分は、中間床下側空間としての収納空間４１とされ（図６（Ｂ）中破線で示す）、この収納空間４１の出入り口４１Ａは主寝室２１に開口して設けられている。
２階中間床４０の上側の一部は、２階中間床４０の上側空間と小屋裏空間５の一部とが連通された吹き抜け空間としての上部居室空間４２とされている。この上部居室空間４２と２階部分とは、階段２６によって連続されている。
【００３７】
また、２階中間床４０の上側の他の一部には、２階中間床４０の上側空間と小屋裏空間５とを上下に分ける床６０が設けられている。この床６０の下側は、収納空間６１とされ、床６０の上側の小屋裏空間５は、その上方の屋根４に開口が設けられて外部に開放されたルーフバルコニ６２とされている。このルーフバルコニ６２と上部居室空間４２とは、階段４６によって連続され、開口としての出入り口４２Ｄが設けられている。この出入り口４２Ｄは、掃き出し窓であり、上部居室空間４２への採光および換気の機能をも有している。
【００３８】
上部居室空間４２と隣接し主寝室２１の上方に位置する小屋裏空間５の一部は、小屋裏収納空間４３とされ、この小屋裏収納空間４３の出入り口４３Ａは、上部居室空間４２に開口して設けられている。
また、上部居室空間４２を覆う屋根４の一部には、屋根４から上方へ突出したドーマー４Ｅが設けられ、このドーマー４Ｅは、上部居室空間４２の採光、換気を行うドーマー窓４２Ｃを有している。
【００３９】
収納空間３１，４１，６１の床である収納空間床１０Ａ，２０Ａ，４０Ａと、１階、２階の居室床１０，２０および２階中間床４０とは、互いの床面に段差が無く、互いに連続して形成されている。また、各収納空間３１，４１，６１の天井高Ｈ１は、１．０ｍ〜１．４ｍの範囲に設定されている。また、中間居室空間３２の天井高Ｈ３は、２．１ｍ〜２．６ｍの範囲に設定され、上部居室空間４２の天井高Ｈ２は、最も低いところで２．１ｍ以上に設定されている。
【００４０】
従って、本実施形態によれば、次のような効果が得られる。
（８）１階中間床３０の上側空間と２階中間床４０の下側空間とを連通して中間居室空間３２を設け、２階中間床４０の上側空間と小屋裏空間５とを連通して吹き抜け空間としての上部居室空間４２を設けることによって、生活空間として利用可能な居室空間を多く確保でき、建物内空間を有効に利用できる。
【００４１】
（９）１階中間床３０の下側空間、２階中間床４０の下側空間の一部、および床６０の下側空間を収納空間３１，４１，６１とし、これらの収納空間の床１０Ａ，２０Ａ，４０Ａと居室の床１０，２０，４０とが段差なく連続していることにより、収納スペースを多く確保できるとともに、収納空間３１，４１，６１に物品を搬入、搬出する作業が容易にできる。
【００４２】
（１０）収納空間３１，４１，６１の天井高Ｈ１を１．０ｍ以上とすることで、大人が屈んで出入りできる高さを確保し、かつ、天井高Ｈ１を１．４ｍ以下とすることで、収納容量を大きくしながら収納空間３１，４１，６１の上方の空間を圧迫せず、住宅５０の高さを抑えることができる。
【００４３】
（１１）中間居室空間３２の天井高Ｈ３を２．１ｍ以上とすることで、通常の生活に支障がない天井高さを確保でき、また、天井高Ｈ３を２．６ｍ以下とすることによって、住宅５０の高さを抑えながら中間居室空間３２の上方の空間も利用することができるので、さらに空間を有効利用できる。
【００４４】
（１２）上部居室空間４２の天井高Ｈ２を最も低いところで２．１ｍ以上に設定することで、居室空間として利用する上での通常の生活に支障がない天井高さを確保できる。
【００４５】
（１３）上部居室空間４２からルーフバルコニ６２に連通する出入り口４２Ｄおよび上部居室空間４２を覆う屋根４にドーマー窓４２Ｃを設けることによって、上部居室空間４２に外光や外気を導入することができ、上部居室空間４２の居住環境を良好にすることができる。
【００４６】
なお、本発明は前記実施形態に限定されるものではなく、本発明の目的を達成できる範囲での変形、改良等は本発明に含まれるものである。
例えば、前述の各実施形態では、建物を住宅１，１Ａ，５０としたが、これに限らず、事務所用や店舗用に建築される建物等でもよい。また、住宅１，１Ａ，５０を２階建てとしたが、これに限らず、平屋や３階建て以上の階数を備える建物でもよく、その際、１階部分や３階以上の階を特定フロアとしてもよい。
【００４７】
また、前述の各実施形態では、中間床を各フロアに１箇所だけ設けることとしたが、複数箇所に設けてもよい。各フロアに適宜必要な数の中間床を設けることによって、建物内空間の居室配置に関する設計の自由度を高めることができる。
【００４８】
また、前述の各実施形態では、収納空間３１，４１，６１の天井高Ｈ１を１．０ｍ〜１．４ｍの範囲に設定したが、収納空間の天井高は、１．０ｍ〜１．２ｍの範囲に設定することができる。このような収納空間の天井高とすることで、建物全体の高さを高くすることなく、吹き抜け空間の天井高さを高くし、快適な生活空間を得ることができる。さらに、収納空間の天井高は、１．０ｍ〜１．３ｍの範囲とすることもできる。
【００４９】
また、前述の第３実施形態では、中間居室空間３２の天井高Ｈ３を、２．１ｍ〜２．６ｍの範囲に設定したが、中間居室空間の天井高は、２．１ｍ〜２．４ｍの範囲に設定することができる。このような中間居室空間の天井高とすることで、中間居室空間の上方に居室や収納スペース等が設けられても、建物全体の高さが高くならないので、建物内空間を有効利用できるとともに建設コストを低減できる。さらに、中間居室空間の天井高は、２．１ｍ〜２．５ｍの範囲とすることもできる。
【００５０】
【発明の効果】
本発明の建物によれば、次のような効果が得られる。
請求項１に記載の建物によれば、特定フロアの中間床上側空間と小屋裏空間とが連通され、吹き抜け空間が形成されることによって、建物全体の高さが高くならず、建設コストの増加を防止しながら、吹き抜け空間や中間床下側空間を居室や収納スペースとして利用できるので、空間の有効利用を図ることができる。
また、吹き抜け空間を覆う屋根や外壁に採光手段が設けられていることにより、吹き抜け空間に外光を導入することができ、吹き抜け空間の居住環境を良好にすることができる。
【００５１】
請求項２に記載の建物によれば、特定フロアの中間床下側空間を収納空間とすることによって、建物内部に設けられる収納スペースの大きさを十分に確保できるとともに、収納空間の床面と特定フロアの床面とが段差なく連続しているので、収納空間に物品を搬入、搬出する作業が容易にできる。すなわち、前述の従来例２のスキップフロア型建物では、収納スペースの床面と居室の床面とが必ずしも連続するものではなく、段差のある場合に重い物品の出し入れに手間が掛かるという問題を有しており、本発明によりこの問題を解決できる。
また、収納空間の天井高を１．０ｍ以上とすることで、大人が屈んで出入りできる高さを確保し、かつ、天井高を１．４ｍ以下とすることで、収納容量を大きくしながら上部居室空間を圧迫せず、建物全体の高さを抑えることができる。また、上部居室空間の天井高を２．１ｍ以上とすることで、通常の生活に支障がない高さを確保できる。
【００５２】
請求項３に記載の建物によれば、小屋裏収納空間が吹き抜け空間と隣接し、その出入り口が吹き抜け空間に面して設けられていることにより、さらに収納スペースを確保できるとともに、吹き抜け空間から小屋裏収納空間へ水平方向に物品を出し入れできるので、搬入、搬出の作業が容易にできる。この際、吹き抜け空間の床が中間床によって特定フロアの床よりも高い位置に形成されていることにより、小屋裏収納空間への物品を出し入れの際に、物品を高い位置まで持ち上げる必要がなく、搬入、搬出の作業がより容易にできる。
【００５３】
請求項４に記載の建物によれば、吹き抜け空間を覆う第１の屋根を第２の屋根より上方で、かつ、互いに段差を備えて配置し、この段差間の外壁に高窓を設けることにより、吹き抜け空間に外光を導入するための採光手段を有効に配置でき、吹き抜け空間の居住環境をより良好にできるとともに、窓等が配置しづらい建物の中央部分に吹き抜け空間を構成した場合でも、採光手段を設けることができる。
【００５４】
請求項５に記載の建物によれば、吹き抜け空間を覆う屋根にドーマー窓を設けることにより、吹き抜け空間に外光を導入するための採光手段を有効に配置でき、吹き抜け空間の居住環境をより良好にできるとともに、窓等を配置するための十分な外壁が確保できない場合でも、採光手段を設けることができる。
【００５５】
請求項６に記載の建物によれば、吹き抜け空間を覆う屋根の外側にルーフバルコニを設け、このルーフバルコニに連通する開口を設けることにより、この開口がルーフバルコニへの出入り口として機能するとともに、吹き抜け空間に外光を導入するための採光手段としても有効であるため、吹き抜け空間の居住環境をより良好にできる。
【００５６】
請求項７に記載の建物によれば、吹き抜け空間を覆う屋根を外壁および上部屋根を備えた越屋根とすることにより、この越屋根の外壁部分に、吹き抜け空間に外光を導入するための採光手段である窓を有効に配置でき、吹き抜け空間の居住環境をより良好にできる。
【図面の簡単な説明】
【図１】本発明の第１実施形態に係る建物を示す斜視図である。
【図２】前記実施形態に係る建物の断面図である。
【図３】（Ａ）〜（Ｃ）は、前記実施形態に係る建物の各高さ位置における平面図である。
【図４】本発明の第２実施形態に係る建物を示す断面図である。
【図５】本発明の第３実施形態に係る建物を示す断面図である。
【図６】（Ａ）、（Ｂ）は、前記実施形態に係る建物の各高さ位置における平面図である。
【符号の説明】
１，１Ａ，５０　　住宅（建物）
３Ｄ，３Ｅ　　外壁
４　　屋根
４Ａ　　第２の屋根
４Ｂ　　第１の屋根
４Ｄ　　上部屋根
２０　　居室床
２０Ａ　　収納空間床
４０　　２階中間床
４１　　収納空間
４２　　上部居室空間（吹き抜け空間）
４２Ａ　　高窓
４２Ｂ　　窓
４２Ｃ　　ドーマー窓
４２Ｄ　　出入り口（開口）
４３　　小屋裏収納空間
４３Ａ　　出入り口
Ｈ１，Ｈ２　　天井高
【図１】
2004060157.tif 000003
【図２】
2004060157.tif 000004
【図３】
2004060157.tif 000005
【図４】
2004060157.tif 000006
【図５】
2004060157.tif 000007
【図６】
2004060157.tif 000008